(57)【要約】【課題】固定接点と可動接点との間の導通状態を安定して切り替えることができるスナップアクション機構を備えた押圧型スイッチ装置を提供すること。【解決手段】スナップアクション機構（５）は、コモン接点端子（３１）に第１の回動支点（Ａ）で一端側が支持されると共に可動接点（６）が設けられた導体板（８）と、この導体板（８）の他端側において第２の回動支点（Ｂ）で一端側が係合される駆動板（７）と、この駆動板（７）の他端側において第３の回動支点（Ｃ）で一端側が係止されると共に他端側が第４の回動支点（Ｄ）で固定基台（２２）に係止された圧縮ばね（９）とを有し、操作部材（４）に対する押圧操作に伴って第５の回動支点（Ｅ）を回動支点として駆動板（７）を回動させて第２の回動支点（Ｂ）を移動することを特徴とする。【選択図】図８
2014056763.tif 000002
【特許請求の範囲】
【請求項１】
収納部を有するハウジングと、押圧操作を受け付ける操作部材と、前記収納部内に設けられたコモン接点端子及び切替接点端子を有する固定接点端子と、前記切替接点端子と接離する可動接点と、前記操作部材が所定位置まで押圧された場合に前記可動接点を駆動するスナップアクション機構とを備えた押圧型スイッチ装置であって、
前記コモン接点端子は、前記収納部内に立設されており、前記スナップアクション機構は、前記コモン接点端子に第１の回動支点で一端側が支持されると共に前記可動接点が設けられた導体部材と、この導体部材の他端側において第２の回動支点で一端側が係合される駆動部材と、この駆動部材の他端側において前記第１の回動支点側に位置する第３の回動支点で一端側が係止されると共に他端側が前記第２の回動支点側に位置する第４の回動支点で前記ハウジングと一体化された固定基台に係止される付勢部材とを有し、
前記スナップアクション機構は、前記操作部材に対する押圧操作に応じて前記第３の回動支点側に配置された前記駆動部材又は前記付勢部材の一部が押圧され、前記駆動部材は、前記第２の回動支点よりも前記第１の回動支点と反対側に配置される第５の回動支点を回動支点として回動して前記第２の回動支点を移動することを特徴とする押圧型スイッチ装置。
【請求項２】
前記スナップアクション機構は、前記コモン接点端子を挟んで前記第２の回動支点及び前記第４の回動支点と反対側に配置される前記駆動部材又は前記付勢部材の一部で前記操作部材の押圧力を受けることを特徴とする請求項１記載の押圧型スイッチ装置。
【請求項３】
前記スナップアクション機構は、前記切替接点端子を挟んで前記第１の回動支点と反対側に前記第４の回動支点を配置したことを特徴とする請求項２記載の押圧型スイッチ装置。
【請求項４】
前記スナップアクション機構は、前記切替接点端子側の前記コモン接点端子の端面の一部に前記第１の回動支点を形成したことを特徴とする請求項１から請求項３のいずれかに記載の押圧型スイッチ装置。
【請求項５】
前記駆動部材は、前記駆動部材の一端側から前記操作部材の移動方向と平行な方向に沿って延在する基部及び当該基部から前記駆動部材の他端側へ前記操作部材の移動方向と交差する方向に延在して前記駆動部材の他端側に接続する本体部からなる側壁部を有し、前記基部の前記コモン接点端子側に凹部を形成し、前記凹部に前記導体部材の他端側を係合させて前記第２の回動支点を形成したことを特徴とする請求項１から請求項４のいずれかに記載の押圧型スイッチ装置。
【請求項６】
前記付勢部材は、板ばねからなる圧縮ばねで構成され、前記操作部材の移動方向と交差する方向に延在する一対の長辺部と、前記一対の長辺部の端部に設けられた一対の連結部とを有し、一方の連結部近傍の前記長辺部の一部が前記操作部材側に折り曲げられると共に前記固定基台に係止されることを特徴とする請求項１から請求項５のいずれかに記載の押圧型スイッチ装置。
【請求項７】
前記可動接点は、前記切替接点端子の表面を摺動する摺動接点で構成されることを特徴とする請求項１から請求項６のいずれかに記載の押圧型スイッチ装置。
【発明の詳細な説明】
【技術分野】
【０００１】
本発明は、押圧型スイッチ装置に関し、特に、操作部材に対する押圧操作に応じて作動するスナップアクション機構を備えた押圧型スイッチ装置に関する。
【背景技術】
【０００２】
従来、操作部材に対する押圧操作を受け付ける押圧型スイッチ装置において、ケースに固定された共通固定端子片、常閉固定端子片及び常開固定端子片を備えると共に、共通固定端子片に組み付けられたレバー、可動接点が設けられた可動片及び圧縮ばねによりスナップアクション機構を構成するものが提案されている（例えば、特許文献１参照）。この押圧型スイッチ装置においては、常閉固定端子片及び常開固定端子片の基端に固定接点が対向して設けられ、スナップアクション機構によるスナップアクションにより可動片が移動され、固定接点と可動接点との接触状態が切り替えられる。
【先行技術文献】
【特許文献】
【０００３】
【特許文献１】特開２００２−３５８８５８号公報、図２
【発明の概要】
【発明が解決しようとする課題】
【０００４】
しかしながら、上述した従来の押圧型スイッチ装置においては、可動片の移動は、圧縮ばねから生じるばね力のみに依存することから、可動片にばね力以上の力を作用させることができない。このため、何らかの要因により可動接点がばね力以上の力で一方の固定接点に固着した場合、可動接点を固定接点から開離させることができない。この結果、可動接点と固定接点との導通状態を安定して切り替えることができないという問題がある。
【０００５】
本発明は、このような問題点に鑑みてなされたものであり、固定接点と可動接点との間の導通状態を安定して切り替えることができるスナップアクション機構を備えた押圧型スイッチ装置を提供することを目的とする。
【課題を解決するための手段】
【０００６】
本発明の押圧型スイッチ装置は、収納部を有するハウジングと、押圧操作を受け付ける操作部材と、前記収納部内に設けられたコモン接点端子及び切替接点端子を有する固定接点端子と、前記切替接点端子と接離する可動接点と、前記操作部材が所定位置まで押圧された場合に前記可動接点を駆動するスナップアクション機構とを備えた押圧型スイッチ装置であって、前記コモン接点端子は、前記収納部内に立設されており、前記スナップアクション機構は、前記コモン接点端子に第１の回動支点で一端側が支持されると共に前記可動接点が設けられた導体部材と、この導体部材の他端側において第２の回動支点で一端側が係合される駆動部材と、この駆動部材の他端側において前記第１の回動支点側に位置する第３の回動支点で一端側が係止されると共に他端側が前記第２の回動支点側に位置する第４の回動支点で前記ハウジングと一体化された固定基台に係止される付勢部材とを有し、前記スナップアクション機構は、前記操作部材に対する押圧操作に応じて前記第３の回動支点側に配置された前記駆動部材又は前記付勢部材の一部が押圧され、前記駆動部材は、前記第２の回動支点よりも前記第１の回動支点と反対側に配置される第５の回動支点を回動支点として回動して前記第２の回動支点を移動することを特徴とする。
【０００７】
この押圧型スイッチ装置によれば、駆動部材は、操作部材に対する押圧操作に応じて第２の回動支点よりも外側に配置される第５の回動支点を回動支点として回動して第２の回動支点を移動することから、操作部材に対する押圧操作に伴って第２の回動支点で駆動部材と係合する導体部材に設けられた可動接点を移動できるので、可動接点が固定基台の一部に固着した場合においても、操作部材に対する押圧力が直接伝達されて強制的に固定基台の一部から開離できるので、固定接点と可動接点との間の導通状態を安定して切り替えることが可能となる。また、静摩擦状態から反転動作に移るのではなく動摩擦状態から反転動作に移るので、摩擦を低くすることができ、動作点のばらつきを抑えることができる。
【０００８】
上記押圧型スイッチ装置において、前記スナップアクション機構は、前記コモン接点端子を挟んで前記第２の回動支点及び前記第４の回動支点と反対側に配置される前記駆動部材又は前記付勢部材の一部で前記操作部材の押圧力を受けることが好ましい。この場合には、コモン接点端子を基準として駆動部材の回動支点を構成する第２の回動支点及び付勢部材の回動支点を構成する第４の回動支点と反対側の位置で操作部材から押圧力を受けることができるから、操作部材からの押圧力の作用点と、第２の回動支点又は第４の回動支点との長さを確保できるので、操作部材における押圧操作のストロークを長くすることが可能となる。
【０００９】
また、上記押圧型スイッチ装置において、前記スナップアクション機構は、前記切替接点端子を挟んで前記第１の回動支点と反対側に前記第４の回動支点を配置することが好ましい。この場合には、切替接点端子を基準として第１の回動支点の反対側の位置に付勢部材の回動支点を構成する第４の回動支点が配置されることから、例えば、付勢部材を圧縮ばねで構成した場合にそのばね長を長く設計できるので、圧縮ばねに掛かる負荷を分散して圧縮ばねをより長寿命化することが可能となる。
【００１０】
さらに、上記押圧型スイッチ装置において、前記スナップアクション機構は、前記切替接点端子側の前記コモン接点端子の端面の一部に前記第１の回動支点を形成することが好ましい。この場合には、コモン接点端子の端面の一部に、導体部材の回動支点である第１の回動支点が形成されることから、簡単な構成でコモン接点端子と導体部材との導通を可能としつつ、導体部材を回動させることが可能となる。
【００１１】
さらに、上記押圧型スイッチ装置において、前記駆動部材は、前記駆動部材の一端側から前記操作部材の移動方向と平行な方向に沿って延在する基部及び当該基部から前記駆動部材の他端側へ前記操作部材の移動方向と交差する方向に延在して前記駆動部材の他端側に接続する本体部からなる側壁部を有し、前記基部の前記コモン接点端子側に凹部を形成し、前記凹部に前記導体部材の他端側を係合させて前記第２の回動支点を形成することが好ましい。この場合には、駆動部材を構成する側壁部の一部に、導体部材の回動支点である第２の回動支点が形成されることから、簡単な構成で導体部材を回動させることが可能となる。
【００１２】
さらに、上記押圧型スイッチ装置において、前記付勢部材は、板ばねからなる圧縮ばねで構成され、前記操作部材の移動方向と交差する方向に延在する一対の長辺部と、前記一対の長辺部の端部に設けられた一対の連結部とを有し、一方の連結部近傍の前記長辺部の一部が前記操作部材側に折り曲げられると共に前記固定基台に係止されることが好ましい。この場合には、一方の連結部近傍の長辺部の一部が操作部材側に折り曲げられると共に固定基台に係止されることから、圧縮ばねのばね長を長く設計できるので、圧縮ばねに掛かる負荷を分散して圧縮ばねをより長寿命化することが可能となる。
【００１３】
さらに、上記押圧型スイッチ装置において、前記可動接点は、前記切替接点端子の表面を摺動する摺動接点で構成されることが好ましい。この場合には、可動接点が摺動接点で構成されることから、スナップアクション機構による可動接点の駆動時に切替接点端子の表面の埃等を除去できるので、可動接点と切替接点端子との間の接触安定性を確保することが可能となる。
【発明の効果】
【００１４】
本発明によれば、固定接点と可動接点との間の導通状態を安定して切り替えることができるスナップアクション機構を備えた押圧型スイッチ装置を提供することが可能となる。
【図面の簡単な説明】
【００１５】
【図１】本発明の一実施の形態に係る押圧型スイッチ装置の外観を示す斜視図である。
【図２】上記実施の形態に係る押圧型スイッチ装置の分解斜視図である。
【図３】上記実施の形態に係る押圧型スイッチ装置が有する固定基台の斜視図である。
【図４】上記実施の形態に係る押圧型スイッチ装置が有するスナップアクション機構の分解斜視図である。
【図５】上記実施の形態に係る押圧型スイッチ装置が有する固定基台にスナップアクション機構を取り付けた場合の斜視図である。
【図６】上記実施の形態に係る押圧型スイッチ装置が有する固定基台にスナップアクション機構を取り付けた場合の上面図である。
【図７】上記実施の形態に係る押圧型スイッチ装置の側断面図である。
【図８】上記実施の形態に係る押圧型スイッチ装置が有するスナップアクション機構の各構成部材の回動支点及び各構成部材に対して作用する力の説明図である。
【図９】上記実施の形態に係る押圧型スイッチ装置において、反転する直前の状態のスナップアクション機構の説明図である。
【図１０】上記実施の形態に係る押圧型スイッチ装置において、反転した直後の状態のスナップアクション機構の説明図である。
【図１１】上記実施の形態に係る押圧型スイッチ装置において、操作部材が最下位置まで押圧された状態のスナップアクション機構の説明図である。
【図１２】上記実施の形態に係る押圧型スイッチ装置において、復帰時に反転する直前の状態のスナップアクション機構の説明図である。
【図１３】上記実施の形態に係る押圧型スイッチ装置において、復帰時に反転した直後の状態のスナップアクション機構の説明図である。
【発明を実施するための形態】
【００１６】
以下、本発明の一実施の形態について添付図面を参照して詳細に説明する。
図１は、本発明の一実施の形態に係る押圧型スイッチ装置（以下、単に「スイッチ装置」という）１の外観を示す斜視図である。図２は、本実施の形態に係るスイッチ装置１の分解斜視図である。なお、以下においては、説明の便宜上、図１及び図２に示す上方側を「スイッチ装置１の上方側」又は単に「上方側」と呼び、図１及び図２に示す下方側を「スイッチ装置１の下方側」又は単に「下方側」と呼ぶものとする。
【００１７】
図１に示すように、本実施の形態に係るスイッチ装置１は、箱状のハウジング２の上面部の一部から後述する操作部材４の一部を突出させ、当該突出部分で操作者等からの押圧操作を受け付けるように構成されている。ハウジング２から突出した操作部材４の一部には、ハウジング２内への埃や水等の異物の侵入を防止するためのカバーＣが取り付けられている。なお、図２以降の図面においては、説明の便宜上、このカバーＣを省略している。
【００１８】
図２に示すように、スイッチ装置１は、例えば、絶縁性の樹脂材料を成形して形成されるハウジング２を備えている。ハウジング２は、下方側に開口した箱状を有するケース２１と、ケース２１の開口に対応する形状を有し、スイッチ装置１の内底面を構成する固定基台２２とから構成されている。これらのケース２１と固定基台２２とを組み合わせることで、ハウジング２の内部にはスイッチ装置１の構成部材を収納する収納部が形成されている。
【００１９】
ケース２１の上面には、後述する操作部材４の軸部４２の上端部が貫通可能な開口部２１１が形成されている。固定基台２２は、上面視にて長方形状を有しており、その上面にケース２１の開口に応じた形状を有する突出面２２１が設けられている。ケース２１は、この突出面２２１を開口で収容することで適切に位置決めされる。例えば、ケース２１は、突出面２２１を収容した状態で接着剤等により固定することで固定基台２２と一体化される。突出面２２１の一端部（図２に示す右方側端部）には、上方側に突出して突出片２２２が設けられている。
【００２０】
ハウジング２内に形成された収納部には、固定基台２２に固定される固定接点端子３の一部が配置されると共に、操作者等による押圧操作を受け付ける操作部材４の一部及び操作部材４に対する押圧操作に応じて作動するスナップアクション機構５が収納される。スナップアクション機構５は、詳細について後述するように、可動接点６、駆動板７、導体板８及び板ばねからなる圧縮ばね９とで構成される。
【００２１】
固定接点端子３は、固定基台２２にインサート成形される金属製のコモン接点端子３１及び切替接点端子３２を有している。コモン接点端子３１は、固定基台２２の上方側で上下方向に延在して設けられるコモン接点部３１１（３１１ａ、３１１ｂ）と、このコモン接点部３１１の下端部から切替接点端子３２と反対側に屈曲し、その端部から下方側に延出する端子部３１２とを有している。コモン接点部３１１は、その上端部にて固定基台２２の長手方向と直交する方向に分岐して設けられた一対のコモン接点部３１１ａ、３１１ｂで構成される。一方、切替接点端子３２は、固定基台２２の上方側に突出する切替接点部３２１と、この切替接点部３２１の下方側の領域において、下方側に延出する端子部３２２とを有している。
【００２２】
操作部材４は、例えば、絶縁性の樹脂材料を成形して形成され、上面視にて概して長方形状を有する基部４１と、この基部４１の一端部の上面に立設された円柱状の軸部４２とを有している。基部４１には、軸部４２が設けられる一辺以外の三辺に対応する側面部４３が設けられている。これらの側面部４３のうち、対向する一対の側面部４３１の外壁面には、上下方向に延在するリブ部４３２が設けられている。これらのリブ部４３２は、後述するケース２１のガイド溝２１４でガイド可能に構成されている。軸部４２は、ケース２１の開口部２１１からその上端部を突出して配置され、操作者等からの押圧操作を受け付ける。
【００２３】
ここで、本実施の形態に係るスイッチ装置１が有する固定基台２２及びスナップアクション機構５の構成について説明する。図３は、本実施の形態に係るスイッチ装置１が有する固定基台２２の斜視図である。図４は、本実施の形態に係るスイッチ装置１が有するスナップアクション機構５の分解斜視図である。なお、図３においては、固定接点端子３を一体化した状態の固定基台２２について示している。
【００２４】
図３に示すように、固定基台２２において、固定接点端子３は、固定基台２２の長辺方向に沿ってその一部を突出面２２１から突出した状態で埋設されている。コモン接点端子３１は、コモン接点部３１１（３１１ａ、３１１ｂ）を突出面２２１の上面から延出させる一方、端子部３１２を固定基台２２の下面から延出させるように配置される。同様に、切替接点端子３２は、切替接点部３２１を突出面２２１の上面から延出させる一方、端子部３２２を固定基台２２の下面から延出させるように配置される。すなわち、コモン接点端子３１（コモン接点部３１１）及び切替接点端子３２（切替接点部３２１）は、固定基台２２に立設された状態で、ハウジング２によって形成される収納部内に設けられている。
【００２５】
二股に分岐したコモン接点部３１１ａ、３１１ｂの先端部近傍には、切替接点端子３２側に開口した凹部３１３が設けられている。これらの凹部３１３は、導体板８の一端側の一部（後述する導体板８の係合部８０２ａ）を収容する。詳細について後述するように、導体板８は、凹部３１３に収容された一部で回動可能に構成される。すなわち、凹部３１３内における導体板８との接触位置により、後述する導体板８の一方の回動支点（第１の回動支点Ａ）が構成される。
【００２６】
切替接点部３２１は、突出片２２２の内側（コモン接点端子３１側）に配置されている。切替接点部３２１は、固定基台２２にインサート成形された状態で突出片２２２を構成する板状部２２２ａと一体化される。板状部２２２ａの上端面の中央近傍には、上方側に突出して突出片２２２ｂが設けられている。一方、板状部２２２ａの上端面の一端部（図３に示す右方側端部）には、上方側に突出して係止片２２２ｃが設けられている。係止片２２２ｃは、圧縮ばね９の他端を係止する役割を果たす。一方、突出片２２２ｂは、圧縮ばね９の脱落を防止する役割を果たす。
【００２７】
図４に示すように、スナップアクション機構５は、導電性を有する金属板材にブランク加工及び折り曲げ加工を施して形成される駆動部材としての駆動板７と、導電性を有する金属板材にブランク加工を施して形成される導体部材としての導体板８と、弾性を有する金属板材にブランク加工及び折り曲げ加工を施して形成される付勢部材としての圧縮ばね９とを含んで構成される。以下、これらの駆動板７、導体板８及び圧縮ばね９の構成について説明する。
【００２８】
駆動板７は、概して操作部材４の移動方向と交差する方向に延在する一対の側壁部７０１と、これらの側壁部７０１の一端部同士を連結する第１連結部７０２と、他端部同士を連結する第２連結部７０３とを備える。一対の側壁部７０１は、第２連結部７０３の下方において、スイッチ装置１の上下方向（操作部材４の移動方向）に沿って延在する基部７０１ａと、この基部７０１ａの下端部から第１連結部７０２側へ操作部材４の移動方向と交差する方向に延在する本体部７０１ｂとを有し、一定距離を挟んで対向配置されている。これらの第１連結部７０２、第２連結部７０３は、それぞれ平板形状を有している。
【００２９】
第１連結部７０２の内側には、凹部７０２ａが形成されている。この凹部７０２ａは、後述する圧縮ばね９の一端を係止する役割を果たす。一方、第２連結部７０３の外側には、突出片７０３ａが設けられている。この突出片７０３ａは、詳細について後述するように、操作部材４に押圧操作を受けていない初期状態において、後述するケース２１の天井面２１２と接触して駆動板７を位置決めする役割を果たす。
【００３０】
また、一対の側壁部７０１（基部７０１ａ）のうち、第２連結部７０３の下方側には、コモン接点端子３１側（第１連結部７０２側）に開口した凹部７０３ｂが設けられている。これらの凹部７０３ｂは、導体板８の他端側の一部（後述する導体板８の係合部８０２ｂ）を収容する。詳細について後述するように、導体板８は、凹部７０３ｂに収容された一部で回動可能に構成される。すなわち、凹部７０３ｂ内における導体板８との接触位置により、後述する導体板８の他方の回動支点（第２の回動支点Ｂ）が構成される。一対の側壁部７０１と、第１、第２連結部７０２、７０３との間には開口部７０４が設けられる。
【００３１】
導体板８は、概して平板形状を有し、操作部材４の移動方向と交差する方向に延在する基部８０１と、この基部８０１から延出して設けられる一対の腕部８０２とを有する。基部８０１は、上面視にて概して長方形状を有する。一対の腕部８０２は、基部８０１の右端側（駆動板７の第２連結部７０３側）に設けられると共に、基部８０１から一定距離だけ離間した位置を左端部側（駆動板７の第１連結部７０２側）に延出して設けられている。なお、基部８０１とそれぞれの腕部８０２との間には、スリット部８０３が設けられている。
【００３２】
一対の腕部８０２の先端部近傍には、係合部８０２ａが設けられている。これらの係合部８０２ａは、スイッチ装置１が組み立てられた状態において、コモン接点端子３１を構成するコモン接点部３１１ａ、３１１ｂに設けられた凹部３１３と係合する。一方、これらの係合部８０２ａの反対側に位置する導体板８の端部近傍には、係合部８０２ｂが設けられている。これらの係合部８０２ｂは、スイッチ装置１が組み立てられた状態において、駆動板７を構成する側壁部７０１に設けられた凹部７０３ｂと係合する。
【００３３】
基部８０１の下面には、可動接点６が取り付けられている。可動接点６は、導電性を有する金属板材にブランク加工及び折り曲げ加工を施して形成され、平板形状を有する基部６０１と、この基部６０１の側端部から垂下して設けられる一対の可動接点部６０２、６０３とを有する。例えば、可動接点６は、基部６０１の上面が導体板８の基部８０１の下面に溶接されることで固定される。なお、導体板８に対する可動接点６の固定方法については適宜変更することが可能である。
【００３４】
可動接点部６０２、６０３は、先端部が下方側に延出すると共に、導体板８の腕部８０２の先端側に屈曲して基部８０１側に折り返された形状を有する。なお、可動接点部６０２、６０３は、駆動板７に設けられた開口部７０４を通過可能な位置に配置されている。可動接点６０２、６０３の先端部には、互いに一定距離を挟んで対向配置される挟持部６０４、６０５が設けられている（挟持部６０５は図４に不図示）。これらの挟持部６０４、６０５は、切替接点端子３２の切替接点部３２１及び切替接点部３２１の近傍の板状部２２２ａの一部を挟持可能に構成されている。そして、操作部材４に対する押圧操作に伴う導体板８の移動に応じて、切替接点部３２１の表面を摺動可能に構成されている。すなわち、可動接点６は、切替接点部３２１を摺動する摺動接点を構成する。このように可動接点６が摺動接点で構成されることから、スナップアクション機構５による可動接点６の駆動時に切替接点部３２１の表面の埃等を除去できるので、可動接点６と切替接点端子３２との間の接触安定性を確保して、固定接点端子３間（コモン接点端子３１と切替接点端子３２との間）の導通接続の信頼性を向上できるものとなっている。
【００３５】
圧縮ばね９は、弾性を有する長尺の金属板材に対してブランク加工を施して環状に形成された後、折り曲げ加工が施される。圧縮ばね９は、操作部材４の移動方向と交差する方向に延在する一対の長辺部９０１と、この長辺部９０１の一端部同士を連結する第１連結部９０２と、他端部同士を連結する第２連結部９０３とを有する。これらの長辺部９０１と、第１、第２連結部９０２、９０３とを有し、圧縮ばね９は、側面視にて概してＵ字形状を有する（図８参照）。
【００３６】
第１連結部９０２は、長辺部９０１の延在方向に延在すると共に、その先端部近傍が長辺部９０１の延在方向と交差して上方側に折り曲げられている。また、第１連結部９０２の先端部には、くびれ部９０２ａを介して係合片９０２ｂが設けられている。これらのくびれ部９０２ａ及び係合片９０２ｂは、駆動板７の第１連結部７０２に設けられた凹部７０２ａと係合可能に構成されている。すなわち、係合片９０２ｂを第１連結部７０２の上方側に配置した状態において、凹部７０２ａでくびれ部９０２ａを収容することにより、駆動板７の第１連結部７０２と圧縮ばね９の第１連結部９０２とが係合する。
【００３７】
一方、第２連結部９０３の近傍の長辺部９０１の一部は、長辺部９０１の延在方向と交差（直交）して上方側に折り曲げられている。第２連結部９０３は、上方側に延在する長辺部９０１の先端部同士を接続する。第２連結部９０３は、平板形状を有し、上下方向に延在して設けられている。この第２連結部９０３の側方には、一対の肩部９０４（９０４ａ、９０４ｂ）が設けられている。これらの肩部９０４ａ、９０４ｂは、スナップアクション機構５がハウジング２内に収納された状態において、後述するケース２１の規制片２１３と当接可能に構成されている。
【００３８】
詳細について後述するように、圧縮ばね９は、操作部材４側に折り曲げられた部分の一部で駆動板７又は固定基台２２の突出片２２２の一部に係止される。本実施の形態に係るスナップアクション機構５においては、このように圧縮ばね９の両端部近傍が操作部材４側に折り曲げられると共に、駆動板７又は固定基台２２の突出片２２２の一部に係止されることから、圧縮ばね９のばね長を長く設計できるので、圧縮ばね９に掛かる負荷を分散して圧縮ばね９をより長寿命化できるものとなっている。
【００３９】
圧縮ばね９には、一対の長辺部９０１の内側に開口部９０５が形成されている。この開口部９０５は、スナップアクション機構５が組み立てられた状態において、導体板８に固定された可動接点６（可動接点部６０２、６０３）が通過可能な寸法に構成されている。第２連結部９０３には、開口部９０５に連続して凹部９０６が設けられている。この凹部９０６は、下方側に開口した形状を有している。凹部９０６は、固定基台２２の突出片２２２の上端部を収容可能な寸法に形成されている。
【００４０】
図５及び図６は、それぞれ本実施の形態に係るスイッチ装置１が有する固定基台２２にスナップアクション機構５を取り付けた場合の斜視図及び上面図である。なお、図５及び図６においては、本実施の形態に係るスイッチ装置１に対して押圧操作が行われていない初期状態のスナップアクション機構５について示している。
【００４１】
スナップアクション機構５は、駆動板７、導体板８及び圧縮ばね９が組み合わされた状態で、その一部を固定基台２２及び固定基台２２に一体化された固定接点端子３に支持されて図５に示す初期状態の位置（初期位置）に配置される。図５に示すようにスナップアクション機構５が配置された固定基台２２に対してケース２１及び操作部材４が取り付けられる。スナップアクション機構５は、ケース２１及び操作部材４の一部と接触し、ハウジング２の収納部内において初期位置を維持した状態で安定して保持される。
【００４２】
図５及び図６に示すように、導体板８は、固定基台２２に一体化されたコモン接点部３１１ａ、３１１ｂと駆動板７との間で保持されている。より具体的には、導体板８は、一対の腕部８０２の先端部に設けられた係合部８０２ａをコモン接点部３１１ａ、３１１ｂに設けられた凹部３１３に係合させる一方、係合部８０２ｂを駆動板７の第２連結部７０３近傍に設けられた凹部７０３ｂに係合させた状態で保持されている。なお、初期状態において、導体板８は、スリット部８０３で駆動板７の側壁部７０１の一部を収容した状態で保持されている。
【００４３】
圧縮ばね９は、駆動板７と固定基台２２の突出片２２２との間で保持されている。より具体的には、圧縮ばね９は、第１連結部９０２に設けられた係合片９０２ｂを駆動板７の第１連結部７０２に設けられた凹部７０２ａに係合させる一方、凹部９０６で突出片２２２を収容し、第２連結部９０３の外面部が係止片２２２ｃに係止された状態で保持されている。なお、圧縮ばね９は、一対の肩部９０４ａ、９０４ｂを後述するケース２１の規制片２１３に接触させた状態となっている（図７参照）。
【００４４】
駆動板７は、圧縮ばね９に保持されている。より具体的には、駆動板７は、第１連結部７０２に設けられた凹部７０２ａで圧縮ばね９のくびれ部９０２ａを収容する一方、側壁部７０１を切替接点端子３２側に延在させた状態で保持されている。初期状態において、駆動板７には、第２連結部７０３に設けられた突出片７０３ａを上方側に付勢する力が作用しており、この突出片７０３ａの一部を後述するケース２１の天井面２１２に接触させた状態となっている（図７参照）。
【００４５】
導体板８に取り付けられた可動接点６は、可動接点部６０２、６０３を突出片２２２の板状部２２２ａの外側に配置した状態となっている（図５参照）。初期状態において、これらの可動接点部６０２、６０３に設けられた挟持部６０４、６０５は、切替接点部３２１の上方側の板状部２２２ａの一部を挟持している。上述したように、突出片２２２を構成する板状部２２２ａは、絶縁性の樹脂材料で形成されている。このため、コモン接点端子３１と切替接点端子３２との間は、非導通状態となっている。
【００４６】
圧縮ばね９においては、図５及び図６に示す右端部側（第２連結部９０３側）の移動が後述するケース２１の規制片２１３で規制される一方、図５及び図６に示す左端部側（第１連結部９０２側）が圧縮された状態で駆動板７により保持されている。このため、圧縮ばね９には、初期状態において第１、第２連結部９０２、９０３を開く力（以下、適宜「弾性復帰力」という）が付与された状態となっている。スナップアクション機構５においては、この圧縮ばね９の弾性復帰力を利用して、操作部材４が一定位置まで押圧された場合に反転する一方、その押圧操作が解除された場合に初期状態に復帰可能に構成されている。
【００４７】
ここで、本実施の形態に係るスイッチ装置１が有するスナップアクション機構５と、その周辺の構成部材との位置関係について図７を参照しながら説明する。図７は、本実施の形態に係るスイッチ装置１の側断面図である。なお、図７においては、操作部材４の移動方向（上下方向）の中心線を通る断面を示している。また、図７においては、押圧操作が行われていない初期状態におけるスイッチ装置１を示している。
【００４８】
初期状態において、駆動板７は、図７に示す右方側端部が左方側端部よりも上方側に位置するように配置されている。この場合、第２連結部７０３は、第１連結部７０２よりも高い位置に配置されている。第２連結部７０３は、その突出片７０３ａをケース２１の天井面２１２に接触した状態で位置決めされている。同様に、導体板８は、図７に示す右方側端部が左方側端部よりも上方側に位置するように配置されている。
【００４９】
一方、圧縮ばね９は、図７に示す左方側端部が右方側端部よりも上方側に位置するように配置されている。この場合、第１連結部９０２は、第２連結部９０３よりも高い位置に配置されている。第１連結部９０２に設けられた係合片９０２ｂは、駆動板７の第１連結部７０２の凹部７０２ａを介して上方側に突出している。一方、第２連結部９０３は、突出片２２２に設けられた係止片２２２ｃに係止されている。また、圧縮ばね９は、第２連結部９０３の側方に配置された一対の肩部９０４ａ、９０４ｂを、ケース２１の内壁面に設けられた規制片２１３で上方側から付勢された状態となっている。
【００５０】
操作部材４は、スナップアクション機構５の上方側に配置される。操作部材４は、軸部４２の下面を、圧縮ばね９の第１連結部９０２に設けられた係合片９０２ｂに載置した状態で配置される。操作部材４は、対向する一対の側面部４３１に設けられたリブ部４３２を、ケース２１の内壁面に上下方向に延在して設けられたガイド溝２１４で案内される。これにより、操作部材４は、操作者からの押圧操作に伴って上下方向に移動可能に構成されている。
【００５１】
本実施の形態に係るスイッチ装置１において、圧縮ばね９の一端側（図７に示す左端側）に設けられた第１連結部９０２は、コモン接点端子３１の一部（コモン接点部３１１ａ、３１１ｂ）の外側（図７に示す左方側）に配置されている。一方、圧縮ばね９の他端側（図７に示す右端側）に設けられた第２連結部９０３は、切替接点端子３２の一部（切替接点部３２１）の外側（図７に示す右方側）に配置されている。このため、ハウジング２の収納部内の限られた空間においても、圧縮ばね９のばね長を長く設計できるので、圧縮ばね９に掛かる負荷を分散して長寿命化することができるものとなっている。
【００５２】
ここで、本実施の形態に係るスイッチ装置１が有するスナップアクション機構５の各構成部材の回動支点及び各構成部材に対して作用する力について説明する。図８は、本実施の形態に係るスイッチ装置１が有するスナップアクション機構５の各構成部材の回動支点及び各構成部材に対して作用する力の説明図である。なお、図８においては、初期状態におけるスナップアクション機構５について示し、説明の便宜上、ケース２１及び操作部材４を省略している。
【００５３】
図８に示すように、導体板８は、一対の腕部８０２の先端部に設けられた係合部８０２ａでコモン接点部３１１ａ、３１１ｂに設けられた凹部３１３に収容されており、これらの係合部８０２ａの頂点を第１の回動支点Ａとして回動可能に構成されている。一方、導体板８は、これらの係合部８０２ａとは反対側に設けられた一対の係合部８０２ｂで駆動板７の第２連結部７０３近傍に設けられた凹部７０３ｂに収容されており、これらの係合部８０２ｂの頂点を第２の回動支点Ｂとして回動可能に構成されている。
【００５４】
圧縮ばね９は、第１連結部９０２に設けられた係合片９０２ｂで駆動板７の第１連結部７０２と係合しており、この第１連結部７０２と接触する係合片９０２ｂの一部を第３の回動支点Ｃとして回動可能に構成されている。一方、圧縮ばね９は、第２連結部９０３で固定基台２２の突出片２２２に設けられた係止片２２２ｃに係止されており、係止片２２２ｃと接触する第２連結部９０３の一部を第４の回動支点Ｄとして回動可能に構成されている。
【００５５】
なお、上述した第２の回動支点Ｂ及び第３の回動支点Ｃは、駆動板７の回動支点としても機能する。すなわち、駆動板７は、第２の回動支点Ｂ及び第３の回動支点Ｃで回動可能に構成されている。また、駆動板７は、第２連結部７０３でケース２１の天井面２１２に接触した状態となっており、この天井面２１２と接触する第２連結部７０３（突出片７０３ａ）の一部を第５の回動支点Ｅとして回動可能に構成されている。この第５の回動支点Ｅは、初期状態から操作部材４が押圧された場合における駆動板７の一時的な回動支点として機能する。
【００５６】
第１の回動支点Ａは、切替接点端子３２側のコモン接点端子３１の端面の一部に形成されている。このようにコモン接点端子３１の端面の一部に、導体板８の回動支点である第１の回動支点Ａが形成されることから、簡単な構成でコモン接点端子３１と導体板８との導通を可能としつつ、導体板８を回動させることが可能となっている。また、第２の回動支点Ｂは、駆動板７を構成する側壁部７０１の一部に形成されている。このように側壁部７０１の一部に導体板８の回動支点である第２の回動支点Ｂが形成されることから、簡単な構成で導体板８を回動させることが可能となる。さらに、第４の回動支点Ｄは、切替接点端子３２を挟んで第１の回動支点Ａと反対側に配置されている。このように切替接点端子３２を基準として第１の回動支点Ａの反対側の位置に圧縮ばね９の回動支点を構成する第４の回動支点Ｄが配置されることから、圧縮ばね９のばね長を長く設計できるので、圧縮ばね９に掛かる負荷を分散することが可能となっている。
【００５７】
初期状態において、第１の回動支点Ａは、第２の回動支点Ｂ及び第３の回動支点Ｃよりも下方側に配置され、第４の回動支点Ｄよりも上方側に配置されている。すなわち、第１の回動支点Ａは、第２の回動支点Ｂと第３の回動支点Ｃとを結んだ直線よりも下方側に配置されている。また、第２の回動支点Ｂは、第１〜第４の回動支点Ａ〜Ｄの中で最も上方側に配置されている。さらに、第３の回動支点Ｃは、第２の回動支点Ｂよりも下方側に配置され、第１の回動支点Ａ及び第４の回動支点Ｄよりも上方側に配置されている。さらに、第４の回動支点Ｄは、４つの回動支点の中で最も下方側に配置されている。
【００５８】
このように第１〜第４の回動支点Ａ〜Ｄが配置される場合において、圧縮ばね９には第１、第２の連結部９０２、９０３を開こうとする力（弾性復帰力）が付与されている。このため、第３の回動支点Ｃと第４の回動支点Ｄとの間に作用する力（すなわち、圧縮ばね９に作用する力）Ｆ１は、図８に示す左上方側を向いている。そして、第２の回動支点Ｂと第３の回動支点Ｃとの間に作用する力（すなわち、駆動板７に作用する力）Ｆ２は、僅かに左下方側に向いている。ここで、力Ｆ１と力Ｆ２との間の角度がθ１である場合、力Ｆ２は、以下の（式１）により求められる。
Ｆ２＝Ｆ１ｃｏｓθ１      （式１）
【００５９】
第１の回動支点Ａと第２の回動支点Ｂとの間に作用する力をＦｄとし、力Ｆ２の方向と力Ｆｄの方向との間の角度がθ２であるものとすると、導体板８に作用する力Ｆ３は、以下の（式２）により求められる。すなわち、角度θ２が少なくとも０°より大きい場合、力Ｆ３は、上方側に向いた状態となっている。
Ｆ３＝Ｆ２ｓｉｎθ２      （式２）
【００６０】
また、第３の回動支点Ｃに作用する力をＦ４とすると、この力Ｆ４は、以下の（式３）により求められる。すなわち、角度θ１が少なくとも０°より大きい場合、力Ｆ４は、上方側に向いた状態となっている。このとき、第３の回動支点Ｃを上方側に移動させる力Ｆ５は、この力Ｆ５の方向と力Ｆ４との方向との間の角度がθ３であるものとすると、以下の（式４）により求められる。
Ｆ４＝Ｆ１ｓｉｎθ１      （式３）
Ｆ５＝Ｆ４ｃｏｓθ３      （式４）
【００６１】
ここで、スナップアクション機構５においては、力Ｆ１は、常に力Ｆ２よりも上方側に配置されている。このため、力Ｆ１と力Ｆ２との間の角度θ１は、常に０°より大きい。角度θ１が０°より大きい場合、第３の回動支点Ｃには、（式３）及び（式４）から上方側に移動する力Ｆ５が作用する。この結果、操作部材４は、スナップアクション機構５により常に上方側に付勢された状態となっている。
【００６２】
また、初期状態において、第５の回動支点Ｅは、第２の回動支点Ｂよりも外側（図８に示す右方側）に配置されている。さらに、第２の回動支点Ｂは、第５の回動支点Ｅよりも下方側に配置されている。初期状態から操作部材４が押圧され、駆動板７が第５の回動支点Ｅを回動支点として回動すると、駆動板７に設けられた第２の回動支点Ｂは、僅かに下方側に移動可能に構成されている。
【００６３】
以下、本実施の形態に係るスイッチ装置１が有するスナップアクション機構５のスナップアクション動作について図９〜図１３を参照しながら説明する。本実施の形態に係るスイッチ装置１が有するスナップアクション機構５においては、操作部材４に対する押圧操作に伴って、上述した複数の回動支点（第１〜第５の回動支点Ａ〜Ｅ）で各構成部材が回動しながらスナップアクション動作を行う。特に、操作部材４が一定位置以上に押し込まれると、スナップアクション機構５が反転して固定接点端子３間（コモン接点端子３１と切替接点端子３２との間）が導通状態に切り替えられる。
【００６４】
図８に示す初期状態から操作部材４がハウジング２内に押圧されると、ケース２１内においては、軸部４２の下面により圧縮ばね９の係合片９０２ｂが下方側に押圧される。軸部４２の下面における係合片９０２ｂと接触する位置は、操作部材４からの押圧力の作用点を構成する。圧縮ばね９は、第４の回動支点Ｄを回動支点として左方側端部側が反時計回り方向に回動する。
【００６５】
この圧縮ばね９の回動に伴い、スナップアクション機構５においては、駆動板７が第５の回動支点Ｅを回動支点として左端部側が反時計回り方向に回動して図９に示す状態となる。図９においては、本実施の形態に係るスイッチ装置１において、反転する直前の状態のスナップアクション機構５について示している。なお、図９においては、説明の便宜上、ケース２１及び操作部材４を省略している。以下に示す図１０〜図１３においても同様である。
【００６６】
図９に示す状態に移行する際、駆動板７が第５の回動支点Ｅを回動支点として回動すると、駆動板７に設けられた第２の回動支点Ｂは、僅かに下方側に移動する。このため、第２の回動支点Ｂに回動可能に支持される導体板８も僅かに下方側に移動する。導体板８の移動に伴い、その下面に固定される可動接点６も僅かに下方側に移動する。このため、可動接点部６０２、６０３に設けられた挟持部６０４、６０５による板状部２２２ａの挟持箇所が僅かに下方側に変更される。このように操作部材４に対する押圧操作に伴って可動接点部６０２、６０３の挟持部６０４、６０５の挟持箇所を変更できるので、挟持部６０４が突出片２２２の板状部２２２ａに固着した場合においても、操作部材４に対する押圧力を利用して強制的に板状部２２２ａから挟持部６０４、６０５を開離できるので、可動接点部６０２、６０３と切替接点部３２１との導通状態を安定して切り替えることが可能となる。
【００６７】
図９に示すように、スナップアクション機構５が反転する直前の状態に移行した場合において、第１の回動支点Ａは、第２の回動支点Ｂと第３の回動支点Ｃとを結んだ直線よりも上方側に配置されている。すなわち、力Ｆ２の方向と力Ｆｄの方向との間の角度θ２が０°以下となり、導体板８に作用する力Ｆ３の向きは、下方側に向いた状態に変化する。しかしながら、スナップアクション機構５においては、導体板８に摺動接点型の可動接点６が固定されており、その先端に設けられた挟持部６０４、６０５は、突出片２２２の板状部２２２ａを挟持している。この挟持部６０４、６０５の摩擦抵抗により発生する力Ｆμは、力Ｆ３と反対方向に作用する。図９に示すスナップアクション機構５においては、この力Ｆμの大きさが力Ｆ３の大きさと同等である場合について示している。このように力Ｆμの大きさが力Ｆ３の大きさと同等である場合、或いは、力Ｆ３の大きさが力Ｆμの大きさを下回る場合には、スナップアクション機構５が反転することはない。
【００６８】
図９に示す状態から操作部材４が僅かにハウジング２内に押圧されると、力Ｆ２の方向と力Ｆｄの方向との間の角度θ２が更に大きくなっていく。これに伴い、導体板８に作用する力Ｆ３の大きさが、挟持部６０４、６０５の摩擦抵抗により発生する力Ｆμの大きさを上回ると、スナップアクション機構５が反転する。すなわち、スナップアクション機構５においては、導体板８の右方側端部が第１の回動支点Ａを回動支点として時計回り方向に一気に回動して図１０に示す状態となる。図１０においては、本実施の形態に係るイッチ装置１において、反転した直後の状態のスナップアクション機構５について示している。このとき、駆動部材７の第２連結部７０３に設けられた突出片７０３ａは、ケース２１の天井面２１２から離間した状態となる。
【００６９】
図１０に示すように、導体板８が回動すると、これに伴って導体板８に固定された可動接点６も時計回り方向に回動する。これにより、可動接点６においては、挟持部６０４、６０５が、突出片２２２の板状部２２２ａから摺動して、切替接点端子３２の切替接点部３２１に接触した状態となる。この結果、可動接点６を介してコモン接点端子３１と切替接点端子３２とが導通状態に切り替えられ、スイッチ装置１がオン状態となる。なお、このようにスナップアクション機構５が反転した状態において、導体板８の下面は、板状部２２２ａの上端に設けられた突出片２２２ｂに当接しており、右方側端部はそれ以上の回動が制限された状態となっている。
【００７０】
このように本実施の形態に係るスイッチ装置１においては、スナップアクション機構５における反転動作に伴って導体板８に固定された可動接点６を駆動する。この場合において、初期状態から操作部材４が押圧されると、上述したように、駆動板７が、第５の回動支点Ｅを回動支点として回動すると共に、スイッチ装置１の下方側（固定基台２２側）に押し込まれる。これに伴い、突出片２２２の板状部２２２ａを挟持する可動接点部６０２、６０３の挟持部６０４、６０５も下方側に移動する。すなわち、挟持部６０４、６０５は、スナップアクション機構５における反転動作前に僅かに移動している。このため、挟持部６０４、６０５がスナップアクション機構５における反転動作前に移動していない状態（静摩擦状態）である場合と比較して、板状部２２２ａとの摩擦係数を小さくできるので、挟持部６０４、６０５と板状部２２２ａとの摩擦の影響を抑制しながらスナップアクション機構５における反転動作を実現することが可能となる。
【００７１】
図１０に示す状態から操作部材４が更にハウジング２内の最下位置まで押圧されると、圧縮ばね９及び駆動板７は、それぞれ第４の回動支点Ｄ及び第２の回動支点Ｂを回動支点として左方側端部が回動して図１１に示す状態となる。図１１においては、本実施の形態に係るスイッチ装置１において、操作部材４が最下位置まで押圧された状態（フルストローク状態）のスナップアクション機構５について示している。なお、図１１においても、スナップアクション機構５は反転した状態であり、スイッチ装置１がオン状態を維持している。
【００７２】
スナップアクション機構５を構成する圧縮ばね９においては、上述したように、第１、第２連結部９０２、９０３を開こうとする弾性復帰力が働いている。このため、図１１に示すように、操作部材４がハウジング２内の最下位置まで押圧された状態から、その押圧操作が解除されると、スナップアクション機構５は、圧縮ばね９のこの弾性復帰力により図８に示す初期状態に復帰しようとする。以下、初期状態への復帰時のスナップアクション機構５の動作について説明する。
【００７３】
図１１に示すフルストローク状態においても、力Ｆ１と力Ｆ２との間の角度θ１は、０°より大きい。したがって、第３の回動支点Ｃには、上方側に移動する力Ｆ５が作用した状態となっている。このため、図１１に示す状態から操作部材４に対する押圧操作が解除されると、ケース２１内においては、圧縮ばね９の弾性復帰力により、圧縮ばね９の左方側端部側が第４の回動支点Ｄを回動支点として時計回り方向に回動する。この圧縮ばね９の回動に伴い、スナップアクション機構５においては、駆動板７が第２の回動支点Ｂを回動支点として左方側端部側が時計回り方向に回動して図１２に示す状態となる。図１２においては、本実施の形態に係るスイッチ装置１において、復帰時に反転する直前の状態のスナップアクション機構５について示している。
【００７４】
図１２に示すように、スナップアクション機構５が復帰時に反転する直前の状態に移行した場合において、第１の回動支点Ａは、第２の回動支点Ｂと第３の回動支点Ｃとを結んだ直線よりも下方側に配置されている。すなわち、力Ｆ２と力Ｆｄとの間の角度θ２が０°より大きくなり、導体板８に作用する力Ｆ３の向きは、上方側に向いた状態に変化する。しかしながら、スナップアクション機構５において、可動接点６の挟持部６０４、６０５の摩擦抵抗により発生する力Ｆμは、上述のように力Ｆ３と反対方向に作用する。図１２に示すスナップアクション機構５においては、この力Ｆμの大きさが力Ｆ３の大きさと同等である場合について示している。このように力Ｆμの大きさが力Ｆ３の大きさと同等である場合、或いは、力Ｆ３の大きさが力Ｆμの大きさを下回る場合には、スナップアクション機構５が反転することはない。
【００７５】
図１２に示す状態から操作部材４が僅かに上方側に押し戻されると、力Ｆ２の方向と力Ｆｄの方向との間の角度θ２が更に大きくなっていく。これに伴い、導体板８に作用する力Ｆ３の大きさが、挟持部６０４、６０５の摩擦抵抗により発生する力Ｆμの大きさを上回ると、スナップアクション機構５が反転する。すなわち、スナップアクション機構５においては、導体板８の左方側端部が第１の回動支点Ａを回動支点として反時計回り方向に一気に回動して図１３に示す状態となる。図１３においては、本実施の形態に係るイッチ装置１において、反転した直後の状態のスナップアクション機構５について示している。
【００７６】
図１３に示すように、導体板８が回動すると、これに伴って導体板８に固定された可動接点６も反時計回り方向に回動する。これにより、可動接点６においては、挟持部６０４、６０５が、切替接点部３２１から摺動して、突出片２２２の板状部２２２ａに接触した状態となる。この結果、コモン接点端子３１と切替接点端子３２とが非導通状態に切り替えられ、スイッチ装置１がオフ状態となる。その後、スナップアクション機構５においては、圧縮ばね９の弾性復帰力により、更に操作部材４を上方側に押し戻し、図８に示す初期状態に復帰する。
【００７７】
このように本実施の形態に係るスイッチ装置１において、駆動板７は、操作部材４に対する押圧操作に応じて第２の回動支点Ｂよりも外側に配置される第５の回動支点Ｅを回動支点として回動して第２の回動支点Ｂを移動することから、操作部材４に対する押圧操作に伴って第２の回動支点Ｂで駆動板７と係合する導体板８に設けられた可動接点６を移動できる。このため、可動接点６が固定基台２２の一部（例えば、板状部２２２ａの一部）に固着した場合においても、操作部材４に対する押圧力が直接伝達されて強制的に固定基台２２から引き剥がすことができるので、固定接点（切替接点部３２１）と可動接点６（可動接点部６０２、６０３）との間の導通状態を安定して切り替えることが可能となる。
【００７８】
また、本実施の形態に係るスイッチ装置１において、スナップアクション機構５は、コモン接点端子３１を挟んで第２の回動支点Ｂ及び第４の回動支点Ｄと反対側に配置される圧縮ばね９の係合片９０２ｂで操作部材４の押圧力を受ける。これにより、コモン接点端子３１を基準として導体板８の回動支点を構成する第２の回動支点Ｂ及び圧縮ばね９の回動支点を構成する第４の回動支点Ｄと反対側の位置で操作部材４から押圧力を受けることができるから、操作部材４からの押圧力の作用点と、第２の回動支点Ｂ又は第４の回動支点Ｄとの長さを確保できるので、操作部材４における押圧操作のストロークを長くすることが可能となる。
【００７９】
なお、本発明は上記実施の形態に限定されず、適宜変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００８０】
例えば、上記実施の形態に係るスナップアクション機構５においては、操作部材４の軸部４２の下面を介して、押圧操作に伴う押圧力を圧縮ばね９の係合片９０２ｂで受ける構成について説明している。しかしながら、スナップアクション機構５における押圧力を受ける構成については圧縮ばね９に限定されるものではなく、コモン接点端子３１の外側（左方側）に配置される駆動板７の一部で構成するようにしてもよい。このように変更する場合においても、上記実施の形態と同様の効果を得ることができる。さらに、コモン接点端子３１の外側に配置される圧縮ばね９と駆動板７のそれぞれの一部で、押圧操作に伴う押圧力を受ける構成としてもよい。
【００８１】
また、上記実施の形態においては、可動接点６が切替接点端子３２（切替接点部３２１）の表面を摺動する摺動接点型の接点構成について説明しているが、接点構成は、これに限定されるものではない。例えば、可動接点が、切替接点端子の切替接点部と当接する形態の接点構成であってもよい。なお、この場合には、可動接点６の挟持部６０４、６０５と板状部２２２ａ（または切替接点部３２１）との間の摩擦抵抗による力を考慮する必要はない。
【符号の説明】
【００８２】
１  押圧型スイッチ装置（スイッチ装置）
２  ハウジング
２１  ケース
２１１  開口部
２１２  天井面
２１３  規制片
２１４  ガイド溝
２２  固定基台
２２１  突出面
２２２  突出片
２２２ａ  板状部
２２２ｂ  突出片
２２２ｃ  係止片
３  固定接点端子
３１  コモン接点端子
３１１、３１１ａ、３１１ｂ  コモン接点部
３１２  端子部
３１３  凹部
３２  切替接点端子
３２１  切替接点部
３２２  端子部
４  操作部材
４１  基部
４２  軸部
４３、４３１  側面部
４３２  リブ部
５  スナップアクション機構
６  可動接点
６０１  基部
６０２、６０３  可動接点部
６０４、６０５  挟持部
７  駆動板
７０１  側壁部
７０１ａ  基部
７０１ｂ  本体部
７０２  第１連結部
７０２ａ  凹部
７０３  第２連結部
７０３ａ  突出片
７０３ｂ  凹部
７０４  開口部
８  導体板
８０１  基部
８０２  腕部
８０２ａ、８０２ｂ  係合部
８０３  スリット部
９  圧縮ばね
９０１  長辺部
９０２  第１連結部
９０２ａ  くびれ部
９０２ｂ  係合片
９０３  第２連結部
９０４、９０４ａ、９０４ｂ  肩部
９０５  開口部
９０６  凹部
Ａ  第１の回動支点
Ｂ  第２の回動支点
Ｃ  第３の回動支点
Ｄ  第４の回動支点
Ｅ  第５の回動支点
【図１】
2014056763.tif 000003
【図２】
2014056763.tif 000004
【図３】
2014056763.tif 000005
【図４】
2014056763.tif 000006
【図５】
2014056763.tif 000007
【図６】
2014056763.tif 000008
【図７】
2014056763.tif 000009
【図８】
2014056763.tif 000010
【図９】
2014056763.tif 000011
【図１０】
2014056763.tif 000012
【図１１】
2014056763.tif 000013
【図１２】
2014056763.tif 000014
【図１３】
2014056763.tif 000015